(57)【特許請求の範囲】
【請求項１】
合流式下水道を通って、固液分離手段と、貯留手段と、紫外線照射手段とを少なくとも備える処理設備内に流入した汚濁水の一部または全部を処理および殺菌する方法において、
前記汚濁水の一部または全部を、渦流式固液分離装置を含む固液分離手段、固液分離手段で処理された被処理水を流入させて一時的に貯留する貯留手段、前記貯留手段に貯留された被処理水を流入させて紫外線を照射する紫外線照射手段、の順に通して処理および殺菌するにあたり、
前記渦流式固液分離装置を円筒型水槽の内部に円筒型スクリーンを縦向きに配置したものとして、前記汚濁水を前記スクリーンの接線方向に沿って送入してスクリーン内で渦流を発生させて、清澄分をスクリーンを通して水槽外に送り出しつつ固形分を水槽の中央下部に集めて水槽外に引抜くようにして固液分離処理し、
かつ、前記貯留手段への被処理水の流入量または前記貯留手段に貯留された被処理水の水量と汚濁度とに応じて、貯留手段から紫外線照射手段に流入させる被処理水の流入量および紫外線照射手段における紫外線照射出力の少なくとも一方を制御する、
ことを特徴とする汚濁水の処理および殺菌方法。
【請求項２】
前記貯留手段に流入する被処理水の流入量または前記貯留手段に貯留された被処理水の水量が所定量を超えたときに、紫外線照射手段へ被処理水を流入させるとともに紫外線照射手段の運転を開始し、所定量よりも減ったときに前記紫外線照射手段への被処理水の流入を停止させるとともに紫外線照射手段の運転を停止する請求項１記載の汚濁水の処理および殺菌方法。
【請求項３】
被処理水を紫外線照射手段に流入させ始めてから所定時間については、前記紫外線照射手段を通った流通水を紫外照射手段の前段に返送する請求項１または２記載の汚濁水の処理および殺菌方法。
【請求項４】
被処理水を紫外線照射手段に流入させ始めてから所定時間については、前記紫外線照射手段を通った流通水を他の殺菌手段により殺菌する請求項１または２記載の汚濁水の処理および殺菌方法。
【請求項５】
前記貯留手段に流入する被処理水の流入量または前記貯留手段に貯留された被処理水の水量が所定量まで減ったときに、貯留手段から紫外線照射手段への被処理水へ流入を停止するとともに、紫外線照射手段に洗浄用水を流入させて前記紫外線照射手段の洗浄をおこなう請求項１〜４の何れか１項に記載の汚濁水の処理および殺菌方法。
【請求項６】
前記固液分離手段が、少なくとも渦流式固液分離装置と濾過装置とをこの順に含む処理設備である請求項１〜５の何れか１項に記載の汚濁水の処理および殺菌方法。
【請求項７】
被処理水を貯留手段から紫外線照射手段に、ポンプ手段、自然流下、サイホンの何れかの方法により流入させる請求項１〜６の何れか１項に記載の汚濁水の処理および殺菌方法。
【発明の詳細な説明】
【０００１】
【発明の属する技術分野】
本発明は、汚濁水の処理および殺菌方法に関し、特に、降雨時に合流式下水道を通って処理設備に向かう汚濁水あるいは処理設備内に流入する汚濁水の一部または全部を処理および殺菌する方法に関する。
【０００２】
【従来の技術】
下水道には、雨水と汚水とを別の管渠で処理設備へ排水するように構成されている分流式下水道と、同一の管渠で処理設備へ送水する合流式下水道とがある。合流式下水道は管渠が一系統で済み、施工が容易で安価であることから、下水道設備の急速な普及が進んだ明治後期から昭和前期に大都市を中心に自治体に多く採用されている。
【０００３】
この合流式下水道では雨天時に汚水と雨水とが混合した多量の汚濁水が流れ込み、しばしば処理設備の許容量を超える量となることがある。現状では、このような処理設備の許容量を超える量の汚濁水のすべて完全に処理することは、コスト的、技術的に非常に困難であることから、雨天時に多量の汚濁水が発生した場合には、合流式下水道の途中等に設けた雨水吐き口から未処理で放流するとともに、処理設備において汚濁水の一部を、曝気工程等の一部の処理工程を省略し、目の粗いスクリーンによる処理、初沈処理、塩素処理のみとして簡易処理で放流するようにして対処している。
【特許文献】
特表平１０−５０４２２７
【特許文献】
特開２００２−１８２１０
【０００４】
【発明が解決しようとする課題】
しかしながら、汚濁水を未処理で放流した場合には、大腸菌に代表される細菌がそのまま放流されるため、近隣あるいは下流の河川、湖沼、海域等にある上水口の取水口から取り込まれることにより、あるいは、親水設備へ入り込むことにより、人間や家畜等の健康に影響を与え得る可能性があるという問題がある。
【０００５】
一方で、簡易処理においては、一応、塩素消毒が行われる。しかし、塩素処理は、一定以上の塩素濃度を保持するだけで細菌の増殖を抑制できるが、アンモニア性窒素や有機性窒素を多く含む被処理水に対しては、消毒能力が著しく低下する欠点がある。従って、簡易処理のように曝気処理等の中間工程を省略した場合には、消毒力の低下に起因して、結果的に多量の塩素投入によるコスト高、あるいは、好適な殺菌が行われていないおそれがある。
【０００６】
以上の問題点から、未処理下水や簡易処理により処理している汚濁水の一部を、安全性を考慮しつつ短時間で処理および殺菌ができる方法を構築する必要性がある。
【０００７】
ところで、上水・下水の殺菌処理には、塩素処理以外にもオゾンによる殺菌処理が行われることがあるが、オゾン処理は、設備コストが非常に高額になるとともに、メンテナンス費用や運転費用等のコストが非常に高い。処理設備の許容量を超えるような汚濁水が生ずるのは、年間６０回程度であるため、オゾン処理を適用するのはコスト的に採算があわない。
【０００８】
そこで、本発明の主たる課題は、汚濁水を短時間でかつ低コストに処理および殺菌できる方法を提供することにある。
【０００９】
【課題を解決するための手段】
上記課題を解決した本発明およびその作用効果は次記のとおりである。
＜請求項１記載の発明＞
合流式下水道を通って、固液分離手段と、貯留手段と、紫外線照射手段とを少なくとも備える処理設備内に流入した汚濁水の一部または全部を処理および殺菌する方法において、
前記汚濁水の一部または全部を、渦流式固液分離装置を含む固液分離手段、固液分離手段で処理された被処理水を流入させて一時的に貯留する貯留手段、前記貯留手段に貯留された被処理水を流入させて紫外線を照射する紫外線照射手段、の順に通して処理および殺菌するにあたり、
前記渦流式固液分離装置を円筒型水槽の内部に円筒型スクリーンを縦向きに配置したものとして、前記汚濁水を前記スクリーンの接線方向に沿って送入してスクリーン内で渦流を発生させて、清澄分をスクリーンを通して水槽外に送り出しつつ固形分を水槽の中央下部に集めて水槽外に引抜くようにして固液分離処理し、
かつ、前記貯留手段への被処理水の流入量または前記貯留手段に貯留された被処理水の水量と汚濁度とに応じて、貯留手段から紫外線照射手段に流入させる被処理水の流入量および紫外線照射手段における紫外線照射出力の少なくとも一方を制御する、
ことを特徴とする汚濁水の処理および殺菌方法。
【００１０】
＜請求項２記載の発明＞
前記貯留手段に流入する被処理水の流入量または前記貯留手段に貯留された被処理水の水量が所定量を超えたときに、紫外線照射手段へ被処理水を流入させるとともに紫外線照射手段の運転を開始し、所定量よりも減ったときに前記紫外線照射手段への被処理水の流入を停止させるとともに紫外線照射手段の運転を停止する請求項１記載の汚濁水の処理および殺菌方法。
【００１１】
＜請求項３記載の発明＞
被処理水を紫外線照射手段に流入させ始めてから所定時間については、前記紫外線照射手段を通った流通水を紫外照射手段の前段に返送する請求項１または２記載の汚濁水の処理および殺菌方法。
【００１２】
＜請求項４記載の発明＞
被処理水を紫外線照射手段に流入させ始めてから所定時間については、前記紫外線照射手段を通った流通水を他の殺菌手段により殺菌する請求項１または２記載の汚濁水の処理および殺菌方法。
【００１３】
＜請求項５記載の発明＞
前記貯留手段に流入する被処理水の流入量または前記貯留手段に貯留された被処理水の水量が所定量まで減ったときに、貯留手段から紫外線照射手段への被処理水へ流入を停止するとともに、紫外線照射手段に洗浄用水を流入させて前記紫外線照射手段の洗浄をおこなう請求項１〜４の何れか１項に記載の汚濁水の処理および殺菌方法。
【００１４】
＜請求項６記載の発明＞
前記固液分離手段が、少なくとも渦流式固液分離装置と濾過装置とをこの順に含む処理設備である請求項１〜５の何れか１項に記載の汚濁水の処理および殺菌方法。
【００１５】
＜請求項７記載の発明＞
被処理水を貯留手段から紫外線照射手段に、ポンプ手段、自然流下、サイホンの何れかの方法により流入させる請求項１〜６の何れか１項に記載の汚濁水の処理および殺菌方法。
【００１６】
（作用効果）
本発明では、汚濁水を、固液分離手段、貯留手段、紫外線照射手段の順に流通させる。紫外線照射の前に固液分離を設けたので、好適な紫外線照射による殺菌が効果的に行える。すなわち、固形分が多く含まれ濁度が高い被処理水であると、紫外線の透過率が低く紫外線照射しても所望の殺菌効果が得られないことがあるが、本発明に従って、紫外線照射手段の前段に固液分離手段を設けて汚濁水中の固形物を分離除去すれば、被処理水の紫外線透過率が高まり、殺菌処理が効果的に行なわれる。
【００１７】
紫外線照射手段の前段に貯留手段を設けることとしたので、処理系内に不定期に不定の流量で流入してくる汚濁水（例えば、降雨により発生する処理設備の許容量を超える下水等）であっても、紫外線照射手段に所定流量で送水することができる。貯留手段を設けることの他の効果としては、本発明に係る処理系内に流入する汚濁水中の細菌量や汚濁度が急激に変化しても、紫外線照射手段に送水される被処理水中の濁度、細菌量の変化を緩やかなものとすることができるようになる。
【００１８】
また、殺菌手段として紫外線照射手段を用いることとしたので、短時間での殺菌が可能となる。
【００１９】
そして、本発明では、貯留手段に流入する被処理水の流量あるいは貯留手段に貯留される被処理水の水量と汚濁度とに応じて、紫外線照射手段に流入させる被処理水の流量および紫外線照射手段の紫外線照射出力の少なくとも一方を制御することとしたので、紫外線照射手段において最適な紫外線照射量とすることができ効果的な殺菌が図られる。
【００２０】
なお、本発明でいう汚濁度とは、汚濁水の汚れ具合の指標となる値であり、濁度、ＣＯＤ、ＢＯＤ，ＴＯＣ、ＴＯＤ、紫外線透過率の少なくとも一つを含む意味である。
【００２１】
請求項２記載の発明に従って、貯留手段に流入する被処理水の流量あるいは貯留手段に貯留される被処理水の水量が所定量を超えたときに、紫外線照射手段へ被処理水流通と紫外線照射手段の運転を開始させ、前記所定量よりも減ったときに前記紫外線照射手段への被処理水の流入を停止させるとともに、紫外線照射手段の運転とを停止することとすると、処理系内に不定期に流入する汚濁水であっても、不要な紫外線照射手段の運転を行わなくてすむようになり運転コストの低減が図られる。
【００２２】
他方、紫外線照射手段では、紫外線の照射出力が上昇するまでは所望の殺菌効果が得られない場合があるが、請求項３記載の発明に従って、被処理水を紫外線照射手段に流入させ始めてから所定時間において、例えば、所望の殺菌が行えるまでに紫外線照射出力が上昇するまで間において、紫外線照射手段を流通した流通水を紫外線照射手段の前段に返送することとすると、殺菌が不完全な流通水が処理水として排出されることがなくなる。
【００２３】
他方、請求項４記載の発明に従って、紫外線照射が不完全な流通水を紫外線照射手段の前段に返送するのではなく、他の殺菌手段で殺菌してからから排出するようにしても請求項３記載の発明と同様の作用効果が得られる。
【００２４】
他方、請求項５記載の発明に従って、貯留手段に流入する被処理水の流量あるいは貯留手段に貯留される被処理水の水量が所定量まで減ったときに、紫外線照射手段への被処理水の流入を停止するとともに、紫外線処理手段に洗浄用水を流入させると、紫外線照射手段内に残存する被処理水と置換され、紫外線照射手段が汚れることに起因する経時的な殺菌効果の低減が防止され、確実な殺菌処理が可能となる。
【００２５】
他方、請求項６記載の発明に従って、前記固液分離手段を、少なくとも渦流式固液分離装置と濾過装置とをこの順に含む処理設備とすると、まず渦流式固液分離装置で粗雑な固形物等が除去され、さらに残存する微細固形物が濾過装置で除去されるので、紫外線照射手段へ流入させる被処理水の濁度が効果的に低減され、被処理水の紫外線透過率が向上してより効果的な殺菌が図られるようになる。
【００２６】
他方、請求項７記載の発明に従って、被処理水は貯留槽から紫外線照射手段に、ポンプ手段、自然流下、サイホンの何れかの方法により被処理水を流入させることとすると、安価に処理が可能となる。
【００２７】
【発明の実施の形態】
以下に、本実施の形態を図１〜８を参照しながら詳述する。
本実施の形態では、図１および２に示されるように、汚濁水Ｐを、固形物を分離除去する固液分離手段１、固液分離手段１で処理された被処理水Ｗを流入させて一時的に貯留することが可能な貯留手段２と、貯留手段２に貯留された被処理水Ｗを流入させて被処理水Ｗに紫外線を照射する紫外線照射手段３の順に通して、前記汚濁水Ｐの処理および殺菌を図る。なお、図１は、貯留手段２として貯留槽２Ａを用いる場合の例であり、図２は、固液分離手段１から紫外線照射手段３に向かう管渠２０を、被処理水Ｗが紫外線照射手段に向かって自然流下するように設けるとともにその紫外線照射手段の近い位置に可動堰２１を設けて、前記管渠２０の当該可動堰２１より前段側を貯留手段２として用いる場合の例である。
【００２８】
前記固液分離手段１は、汚濁水中の固形物を、後段の紫外線照射手段３において処理可能な程度まで除去可能な、固液分離装置あるいは固液分離設備を適宜選択して用いる。好適には、図示例のように、汚濁水を渦流式固液分離装置（スワールとも言われる）１０、濾過装置１１の順に通して固液分離する処理設備を用いる。渦流式固液分離装置の前段に凝集剤添加手段を設けてもよい。また、凝集剤添加手段の前段に別の渦流式固液分離装置を設けて、固液分離手段を、第１の渦流式固液分離装置、凝集剤添加装置、第２の渦流式固液分離装置、繊維濾過装置をこの順に含む固液分離設備としてもよい。
【００２９】
ここで、渦流式固液分離装置１０は、円筒型水槽内に被処理水を前記水槽の接線方向に沿って送入し、前記水槽内で渦流を発生させて固形分を前記水槽の中央下部に集めることで清澄分と固形分と分離し、清澄分を水槽外に送りだすとともに、集めた固形分を水槽下部に設けられた引抜き弁の開閉およびポンプ手段により水槽外に引抜いて固液分離するものである。本発明においては、かかる渦流式固液分離装置のなかでも、図３および図４に示めす、円筒型水槽１０ａの内部に円筒型スクリーン１０ｂが縦向きに配置され、この円筒型スクリーン１０ｂ内に被処理水を前記スクリーン１０ｂの接線方向に沿って送入し、前記スクリーン１０ｂ内で渦流を発生させて清澄分を前記スクリーン１０ｂを通して槽外に送り出しつつ前記固形分を水槽の中央下部１０ｃに集め、この集めた固形分を水槽外に引抜くように構成されたものを用いるのが好適である。さらには、前記円筒型スクリーン１０ｂが、図５に示されるように、そのスクリーン１０ｂの目が、スクリーン１０ｂの内外方向で所定の角度を有するように設けられ、その目の円筒内側開口部Ｎｉがスクリーン１０ｂの内側１０ｂｉの渦流Ｐiの流れ方向に逆らわない方向に向いており、円筒外側開口部Ｎｏはスクリーン１０ｂの内側１０ｂｉの渦流Ｐｉの流れ方向と反対の渦流を生じさせる方向を向いているスクリーン１０ｂとされたものを用いるのがより好ましい。また、図示例のスクリーンのように、スクリーン１０ｂの渦流Ｐiに逆らうように向かっている面αが円弧面に形成されているものを用いるのが望ましい。このようなスクリーン１０ｂを用いた渦流式固液分離装置は、スクリーン１０ｂの外側１０ｂｏに、内側１０ｂｉに生ずる渦流Ｐiと、流れ方向が反対の渦流Ｐｏが生じ、清澄水を効果的に槽外に送り出すことができるとともに、特に繊維状固形物がスクリーン１０ｂに付着しずらく、さらにフロックの崩壊防止性にも優れるからである。
【００３０】
固液分離手段の前段に凝集剤添加手段を設ける場合の凝集剤添加手段は、薬注ポンプと凝集槽とを含む一般的な凝集剤添加設備や、凝集槽に代えて急速混和水槽を用いる凝集剤添加設備や、凝集槽に加えてフロック形成槽を設けた凝集剤添加設備等を適宜選択して用いることができる。凝集剤添加手段において添加する凝集剤は、処理する汚濁水に応じて無機凝集剤、高分子凝集剤等の従来既知の凝集剤のなかから適宜選択することができる。具体例としては、ＰＡＣ、硫酸バンド、ポリ鉄、硫酸第一鉄、塩化第二鉄、カチオン系ポリマー、両性ポリマー、アニオン系ポリマーなどが挙げられる。これらは単体であるいは複数組み合わせて使用することができる。
【００３１】
前記貯留手段２としては、被処理水を一時的に貯留可能とすることができるものであれば特に限定されない。例えば、図１の例のように前記貯留手段２は、従来既知の貯留槽２Ａを用いてもよいし、図２の例のように、固液分離手段１から紫外線手段３にむかって被処理水を自然流下させるように管渠２０を配置して、この管渠２０の紫外線照射手段３に近い位置に可動堰２１を設け、管渠自体を貯留槽的に用いることができる。
【００３２】
貯留槽２Ａや前記管渠２０の許容量の容量は、前段の固液分離手段１、あるいは後段の紫外線処理手段３の処理能力、例えば、紫外線照射手段３の単位時間あたりの処理可能水量等に応じて適宜選択すればよい。
【００３３】
前記固液分離手段１から貯留手段２に被処理水を流入させる手段については特に限定されない。図示例のように送水ポンプＦ1等を用いて、貯留槽２Ａあるいは貯留手段としての管渠２０に送水することができる。送水ポンプを用いずに固液分離手段から貯留手段に被処理水が自然流下するようにしてもよい。
【００３４】
前記紫外線照射手段３としては、図６に示されるように、被処理水を流通させる管３０内に紫外線照射用のランプ３１，３１…が複数配置され、このランプを点灯させた状態で、管内に一方側３０Ａから被処理水Ｗを流通させ他方側３０Ｂから排出させて、紫外線照射を行う紫外線照射装置３を用いるのが好適である。この紫外線照射装置３は、被処理水Ｗを流しつつ紫外線照射処理できるので、降雨時に発生する汚濁水など、不定期に大量に処理および殺菌する必要性がある汚濁水の処理および殺菌に特に好適である。
【００３５】
前記貯留手段２から紫外線照射手段３へ被処理水Ｗを流入させる手段は、図１の例のように送水ポンプＦ2を用いて行ってもよいし、図２の例のように自然流下により流入させてもよい。さらには、貯留手段にある程度の被処理水が貯留されたときに、サイホンの原理によって紫外線照射手段に被処理水が導かれるようにしてもよい。
【００３６】
紫外線照射手段３へ流入させる被処理水Ｗの流量は、固液分離手段から貯留手段に向かう又は貯留手段としての管渠の途中に流量計を設けて流量を測定したり、貯留槽又は貯留手段としての管渠にレベルメーター２２（貯留量計）を設けて貯留量を測定したりし、その測定値に応じて前記送水ポンプＦ2の出力や可動堰２１の開閉の具合で調整する。
【００３７】
より詳細に説明すると、図１の例であれば、貯留槽２Ａに流入する被処理水Ｗの流量または貯留槽２Ａにおける被処理水Ｗの貯留量が増加して紫外線照射手段３への流入量を増加させるべき所定の流量または水量となったことが流量計またはレベルメーターの測定値から判断されたならば、前記送水ポンプＦ2の出力を上げ、反対に、被処理水Ｗの流量または水量が減少して紫外線照射手段３への流入を減少させるべき所定の流量または水量となったことがレベルメーター２２等の測定値から判断されたならば、前記ポンプ手段Ｆ2の出力を下げる。また、貯留槽２Ａに流入する被処理水Ｗの流量または貯留槽における被処理水Ｗの水量の変化をレベルメーター２２等で測定するとともに監視し、その測定値の変化に応じてポンプＦ2の出力を連続的に変化させるようにしてもよい。
【００３８】
前記送水ポンプＦ2の出力の上昇および下降は、レベルメーター２２等の測定値Ｍ1に連動して自動的に行うようにしてもよいし、レベルメーター２２等の測定値Ｍ1を目視で確認して、手動でポンプ手段を行うようにしてもよい。具体的な出力の変更方法は用いる送水ポンプによる。
【００３９】
前記紫外線照射手段３における紫外線照射出力は、貯留槽２Ａ，貯留手段としての管渠２０または固液分離手段１から貯留手段２に被処理水を導く管渠に、紫外線透過率計、濁度計、ＣＯＤ計、ＢＯＤ計、ＴＯＣ計、ＴＯＤ計等の測定手段２３のうち少なくとも一つを設け、前記被処理水Ｗの濁度、ＣＯＤ値、ＢＯＤ値，ＴＯＣ値、ＴＯＤ値、紫外線透過率を測定し、この測定値Ｍ2から被処理水に対して最適な殺菌が行える照射出力値を判断して、変化させる。
【００４０】
例えば、図７中に示すように、貯留手段２で測定された被処理水の濁度が所定値Ａ値を超えるまでは紫外線照射出力を出力αにし、濁度が高まり所定値Ａ値を超えたならば、紫外線照射出力を出力αから出力βに上昇させ、さらに濁度が高まり所定値Ｂ値を超えたならば、紫外線照射出力を出力βから出力γに上昇させるように紫外線照射出力を変化させる。反対に、貯留手段で測定された被処理水の濁度が所定値Ｂ未満になったならば、紫外線照射出力を出力γから出力βに低下させ、さらに濁度が低下して所定値Ａ未満となったならば、紫外線照射出力を出力βから出力αに低下させるように紫外線照射出力を変化させる。
【００４１】
紫外線照射出力を出力α→出力β→出力γあるいは出力γ→出力β→出力αというように段階的に変動させるのではなく、濁度の経時的な連続的変化に応じて、紫外線照射出力も経時的に連続的に変化させるようにしてもよい。
【００４２】
また、前記例は濁度による制御であるが、上述のとおり、貯留手段２等において測定した紫外線透過率、ＣＯＤ値、ＢＯＤ値、ＴＯＣ値、ＴＯＤ値等の測定値に応じて、紫外線照射出力を変化させてもよい。また、照射出力を決定すべき判断値として、紫外線透過率または濁度の測定値とＣＯＤ値との乗算値、紫外線透過率または濁度とＣＯＤ値の和算値、紫外線透過率または濁度の測定値とＢＯＤ値との乗算値、あるいは、紫外線透過率または濁度の測定値とＢＯＤ値とＣＯＤ値との乗算値など適宜決定することができる。
【００４３】
紫外線照射出力の変化は、自動制御としてもよいし手動で出力を変化させてもよい。紫外線照射手段３の照射出力を変化させる具体的な操作については、用いる紫外線照射手段３の操作方法による。
【００４４】
一方、汚濁水Ｐの流入がないときや流入量が非常に少ないときにも、紫外線照射手段３を運転させ続けるのはコスト的に無駄である。そこで、前記流量計やレベルメーター２２等の測定値Ｍ1に応じて、貯留手段２から紫外線照射手段３へ被処理水Ｗを導くポンプ手段Ｆ2の運転の開始および停止と、紫外線照射手段３の運転開始および停止とを行うようにするのが望ましい。詳細例としては、図８に示すように、前記貯留手段２に設けたレベルメーター２２の測定値Ｍ1がＸ値未満ではポンプ手段Ｆ2の運転と紫外線照射手段３の運転を行わないようにし、Ｘ値以上ではポンプ手段Ｆ2等の運転と紫外線照射手段３の運転を行うようにする。図２の例のように送水ポンプＦ2を用いずに、可動堰の開閉により被処理水を紫外線照射手段に導く場合には、測定値Ｍ1に応じて、可動堰の開閉を行うようにすればよい。
【００４５】
紫外線照射手段３の運転の開始と停止とを行う場合には、紫外線照射手段３の運転を開始し始めてから所定時間（紫外線照射出力が上昇して殺菌効果が得られるまでの遷移時間）に紫外線照射手段３を通った流通水Ｗ2は殺菌が不完全であるので、かかる流通水Ｗ2は紫外線照射手段３の前段に返送して再度の紫外線照射を行って殺菌するか、他の殺菌処理手段に送り殺菌するのが望ましい。
【００４６】
ここで、紫外線照射手段の前段は、貯留手段であってもよいし、固液分離手段であってもよいし、本発明の処理系に汚濁水を導くための導入路であってもよい。
【００４７】
他の殺菌手段については、特に限定されず、塩素消毒など従来既知の技術を用いることができる。従来技術の欄で述べた降雨時に発生する汚濁水を処理する場合のように、当該汚濁水の一部を本発明の処理および殺菌方法にかかる処理系で処理し、他の部分を他の処理系（通常の処理系）で処理および殺菌しているような場合には、他の殺菌手段として通常の処理系を用いることができる。すなわち、この場合には流通水を通常の処理系に返送する。
【００４８】
また、流通水の一部を紫外線照射手段で再度紫外線照射し、他の部分を他の処理手段で処理するようにしてもよい。例えば、従来技術の欄で述べた降雨時に発生する汚濁水を処理する場合のように、当該汚濁水の一部を本発明の処理および殺菌方法にかかる処理系で処理し、他の部分を通常の処理系で処理および殺菌しているような場合には、流通水を前記汚濁水に混合するように返送して、流通水が汚濁水とともに本発明の処理系と他の殺菌手段としての通常の処理系とに分かれて処理および殺菌されるように返送することができる。
【００４９】
流通水を返送等するための手段は、特に限定されない。例えば、図１および２に示されるように、流路切替弁５と送水ポンプＦ2等の組み合わせによる従来既知の手段を用いることができる。自然流下により返送されるようにしてもよい。
【００５０】
他方、被処理水Ｗを紫外線照射手段に流入させている状態から流入を停止させると、紫外線照射手段内３の未処理の被処理水Ｗが排出されないままとなる場合がある。被処理水Ｗが紫外線照射手段３内に残存した状態が続くと、被処理水Ｗは固液分離処理されているとはいえ、溶解性カルシウム等が残存している場合もあり、これらが紫外線ランプ３１あるいは管３０の内壁にこれらが固形物となって付着して汚れるおそれがある。また、残存する細菌が増殖するおそれもある。そこで、貯留手段２から紫外線照射手段３への被処理水Ｗの流入を停止させている間に、紫外線照射手段３に洗浄用水iを流通させて紫外線照射手段３内に残存する被処理水Ｗを洗浄用水iと置換して紫外線照射手段３の洗浄を行うのが望ましい。洗浄用水iを紫外線処理装置３に流入させるには、紫外線照射手段に通ずる管渠に洗浄用水用の管渠を接続し、この接続部に流路切替弁４を設けこの弁４の開閉を前記流量計やレベルメーター２２の測定値Ｍ1に応じて行えばよい。
【００５１】
また、置換にともなって紫外線照射手段３から排出される流通水Ｗ2に関しては、紫外線照射手段の前段に返送するようにすればよい。かかる流通水の返送位置や返送方法に関しては、上記の紫外線照射が不完全な流通水の場合と同様である。
【００５２】
前記洗浄用水は、処理設備において確保可能なこの種の紫外線照射手段の洗浄用に用いられる洗浄可能な用水を用いることができる。例えば、下水処理場における汚濁水の処理であれば、下水処理場における二次処理水を引水して用いることができる。
【００５３】
（その他）
なお、上記例では、紫外線照射出力と紫外線照射手段に流入させる流量とを独立に制御しているが、流量等の測定値Ｍ1と汚濁等の測定値Ｍ2とを総合的に判断して、紫外線照射出力と紫外線照射手段に流入させる流量との両者を総合的に制御してもよい。また、紫外線照射手段３における照射出力を常時一定としておき、汚濁度の測定値Ｍ1と流量等の測定値Ｍ2とを総合的に判断して、紫外線照射手段に導く流量のみを制御してもよい。
【００５４】
【発明の効果】
以上、詳述のとおり、本発明によれば、汚濁水を短時間でかつ低コストにしかも効率的に処理および殺菌できる方法が提供される。
【図面の簡単な説明】
【図１】本実施の形態にかかる汚濁水の処理および殺菌方法の第１の例の概略を示すフロー図である。
【図２】本実施の形態にかかる汚濁水の処理および殺菌方法の第２の例の概略を示すフロー図である。
【図３】渦流式固液分離装置の例を示す斜視図である。
【図４】そのＩＶ−ＩＶ断面図である。
【図５】そのスクリーンの網目を示す、スクリーン部分の一部断面概略図である。
【図６】紫外線照射手段の例を示す図である。
【図７】紫外線照射出力の制御を説明するための図である。
【図８】流量または水量による、紫外線照射手段への被処理水の流入と紫外線照射手段の運転の制御を説明するための図である。
【符号の説明】
１…固液分離設備、２…貯留手段、２Ａ…貯留槽、３…紫外線照射手段、４，５…流路切替弁、１０…渦流式固液分離装置、１０ａ…円筒型水槽、１０ｂ…スクリーン、１１…繊維ろ過装置、２０…貯留手段としての管渠、２１…可動堰、２２…レベルメーター、２３…汚濁度計，紫外線透過率計、３１…紫外線照射ランプ、Ｐ…汚濁水、Ｗ…被処理水、Ｆ1，Ｆ2，Ｆ3…送水ポンプ、
【図１】
0003695713.tif 000002
【図２】
0003695713.tif 000003
【図３】
0003695713.tif 000004
【図４】
0003695713.tif 000005
【図５】
0003695713.tif 000006
【図６】
0003695713.tif 000007
【図７】
0003695713.tif 000008
【図８】
0003695713.tif 000009